(57)【要約】  換気扇（１）において、本体枠（１１）は、一端側の開口（１１１）の上側の縁の端部から下方向に突出する上端部屈曲部と、開口（１１１）の下側の縁の端部から上方向に突出する下端部屈曲部と、開口（１１１）の左右の縁の内側面から開口（１１１）の中央側に突出した前面部（１１ｂ）とを有し、シャッター板（１６１）は、開口（１１１）を塞ぐシャッター面と、シャッター面が開口（１１１）を塞いだ状態において、上端がシャッター面よりも本体枠の他端側に位置するようにクランク状に屈曲した上端部とを有し、本体枠（１１）の左右の縁同士の間隔よりも小さく、前面部（１１ｂ）同士の間隔よりも大きい幅を持っており、シャッター板（１６１）が開口（１１１）を塞いだ状態において、上端部は、上端部屈曲部よりも本体枠（１１）の他端側に配置され、シャッター板（１６１）の下端部は下端部屈曲部と重なる。
2017022087.tif 000002
【特許請求の範囲】
【請求項１】
角筒状の本体枠と、前記本体枠の一端側の開口を回動自在に支持したシャッター板で開閉するシャッターとを有する換気扇であって、
前記本体枠は、前記一端側の開口の上側の縁の端部から下方向に突出する上端部屈曲部と、前記一端側の開口の下側の縁の端部から上方向に突出する下端部屈曲部と、前記一端側の開口の左右の縁の内側面から前記一端側の開口の中央側に突出する前面部とを有し、
前記シャッター板は、前記開口を塞ぐシャッター面と、前記シャッター面が前記開口を塞いだ状態において、上端が前記シャッター面よりも前記本体枠の他端側に位置するようにクランク状に屈曲した上端部とを有し、前記本体枠の左右の縁同士の間隔よりも小さく、前記前面部同士の間隔よりも大きい幅を持っており、
前記シャッター板が前記開口を塞いだ状態において、前記上端部は、前記上端部屈曲部よりも前記本体枠の他端側に配置され、前記シャッター板の下端部は、前記下端部屈曲部が前記本体枠の他端側に隣接するように前記下端部屈曲部と重なることを特徴とする換気扇。
【請求項２】
前記下端部は、前記シャッター面が前記開口を塞いだ状態において、下端が前記本体枠の他端側に屈曲し、前記シャッター面との間で鈍角をなす傾斜面を備え、
前記下端部屈曲部は、前記本体枠の他端側と逆側に突出するリブを備えることを特徴とする請求項１に記載の換気扇。
【請求項３】
前記シャッター面に、前記シャッター板が前記開口を塞いだ状態において、前記本体枠の開口の左右の縁の内側面に沿うリブを設けたことを特徴とする請求項１又は２に記載の換気扇。
【請求項４】
前記シャッターは、上下方向に配列された複数のシャッター板を有し、
前記シャッター板が前記開口を塞いだ状態において、下側のシャッター板の上端部は、上側のシャッター板の下端部よりも前記本体枠の他端側に配置されることを特徴とする請求項１から３のいずれか１項に記載の換気扇。
【発明の詳細な説明】
【技術分野】
【０００１】
本発明は、建物の壁に設置される換気扇に関する。
【背景技術】
【０００２】
従来、換気扇のシャッターは、箱状枠体の室外側の開口端に複数の横長のシャッター板を上下に並べて備えたものが知られている。箱状枠体の室外側の開口端にシャッター板を設置したシャッターは、枠体の開口端の両側内面に長尺状のシャッター支持板を備え、各シャッター板の両端をシャッター支持部に開閉自在に固定している。【０００３】
特許文献１には、外気流入及び光の侵入を防止するために、各シャッター板同士又は各シャッター板と本体枠とに重なり部を設けた換気扇が開示されている。
【先行技術文献】
【特許文献】
【０００４】
【特許文献１】特開２０１０−１３９１３５号公報
【発明の概要】
【発明が解決しようとする課題】
【０００５】
換気扇は、住宅の台所に設置されて使用されることが多く、油煙又は埃の付着によって各シャッター板の動作が悪くならないように、各シャッター板と本体枠との間に若干の隙間を設けた構造となっている。したがって、隙間部分からの室外側の空気の流入及び光の侵入が問題となる。【０００６】
特許文献１に開示される換気扇は、本体枠と各シャッター板との重なりが無い上部に隙間が存在する。したがって、シャッター板と本体枠との隙間からの室外側空気の流入及び光の侵入を低減する余地がある。また、シャッター板が、回転軸の軸方向となる横方向に本体枠からはみ出てしまうことが容易に想定される。換気扇は、木枠を用いて住宅の壁の角穴に取り付けられることが多いため、本体枠からシャッター板がはみ出てしまうと、シャッター板と角穴内側面とが干渉し、シャッター板の動作不良でシャッターを開閉できなくなる恐れがある。【０００７】
本発明は、上記に鑑みてなされたものであって、シャッター板と本体枠との隙間からの室外側空気の流入及び光の侵入を低減しつつ、シャッター開閉時の動作不良の発生を抑制した換気扇を得ることを目的とする。
【課題を解決するための手段】
【０００８】
上述した課題を解決し、目的を達成するために、本発明は、角筒状の本体枠と、本体枠の一端側の開口を回動自在に支持したシャッター板で開閉するシャッターとを有する換気扇であって、本体枠は、一端側の開口の上側の縁の端部から下方向に突出する上端部屈曲部と、一端側の開口の下側の縁の端部から上方向に突出する下端部屈曲部と、一端側の開口の左右の縁の内側面から一端側の開口の中央側に突出する前面部とを有する。シャッター板は、開口を塞ぐシャッター面と、シャッター面が開口を塞いだ状態において、上端がシャッター面よりも本体枠の他端側に位置するようにクランク状に屈曲した上端部とを有し、本体枠の左右の縁同士の間隔よりも小さく、前面部同士の間隔よりも大きい幅を持っている。シャッター板が開口を塞いだ状態において、上端部は、上端部屈曲部よりも本体枠の他端側に配置され、シャッター板の下端部は、下端部屈曲部が本体枠の他端側に隣接するように下端部屈曲部と重なる。
【発明の効果】
【０００９】
本発明にかかる換気扇は、シャッター板と本体枠との隙間からの室外側空気の流入及び光の侵入を低減しつつ、シャッター開閉時の動作不良の発生を抑制できるという効果を奏する。
【図面の簡単な説明】
【００１０】
【図１】本発明の実施の形態１に係る換気扇の部分断面図
【図２】実施の形態１に係る換気扇の斜視図
【図３】実施の形態１に係る換気扇のシャッターの構成を示す図
【図４】実施の形態１に係る換気扇のシャッター板が開口を塞いだ状態を示す断面図
【図５】実施の形態１に係る換気扇の本体枠の上部での断面図
【図６】実施の形態１に係る換気扇の本体枠の上下方向の中央部での断面図
【図７】実施の形態１に係る換気扇の本体枠の下部での断面図
【図８】実施の形態１に係る換気扇の本体枠の一端側を示す斜視図
【図９】実施の形態１に係る換気扇のシャッター板の斜視図
【発明を実施するための形態】
【００１１】
以下に、本発明の実施の形態に係る換気扇を図面に基づいて詳細に説明する。なお、この実施の形態によりこの発明が限定されるものではない。
【００１２】
実施の形態１．
図１は、本発明の実施の形態１に係る換気扇の部分断面図である。図２は、実施の形態１に係る換気扇の斜視図である。換気扇１は、電動機１４を収容する角筒状の本体枠１１と、ファン１５を収容するオリフィス１２と、オリフィス１２に取り付けられた油受け１３とを有する。ファン１５は、電動機１４の回転軸に取り付けられている。オリフィス１２は、合成樹脂で構成され、風洞を形成する。オリフィス１２は、本体枠１１に対して着脱自在となっている。本体枠１１の室外側には、本体枠１１の一端側の開口１１１を開閉するシャッター１６が設けられている。シャッター１６は、本体枠１１の一端側の開口１１１を回動自在に支持したシャッター板１６１で開閉する。なお、本体枠１１の一端は図１中の矢印Ａが指す側の端であり、本体枠１１の他端は図１中の矢印Ａが指す方とは逆側の端である。
【００１３】
換気扇１は、壁３０に形成された壁穴３１に据え付けられ、ファン１５を回転駆動させることにより、室内側の空気と室外側の空気との間に流れを形成し、室内を換気する。
【００１４】
オリフィス１２は、フィルタ及びメッシュガードといった集塵用の部品が取り付けられる構造であってもよい。また、オリフィス１２は、油受け１３と一体であってもよい。
【００１５】
図３は、実施の形態１に係る換気扇のシャッターの構成を示す図である。シャッター１６は、上下回動可能に本体枠１１によって支持されたシャッター板１６１と、複数のシャッター板１６１同士を連結して上下回動を連動させるシャッター連結棒２２とを備えている。シャッター板１６１は、開き位置と閉じ位置との間を回動軸２１回りに回動する。シャッター板１６１は、ファン１５が発生させる換気流の風圧により、回動軸２１回りに上方に回動して横向きとなって風路を開く、また、シャッター板１６１は、ファン１５が停止すると自重により回動軸２１回りに下方へ回動して下向きとなり風路を閉じる。
【００１６】
図４は、実施の形態１に係る換気扇のシャッター板が開口を塞いだ状態を示す断面図である。図４は、シャッター板１６１が開口１１１を塞いだ状態を上下方向からみた断面を示している。シャッター板１６１は、本体枠１１の左右の縁である側枠部１１ａの端部１１ｅ同士の間隔Ｗ１よりも小さく、側枠部１１ａの内側面１１ｇから開口１１１の中央側に突出した前面部１１ｂ同士の間隔Ｗ２よりも大きい幅Ｗ３を持っている。シャッター板１６１が開口１１１を塞いだ状態にあるときに、シャッター板１６１の側端部１６ａは、本体枠１１の側部枠１１ａの内側面１１ｇから突出した前面部１１ｂに平行になって重なるため、本体枠１１とシャッター板１６１との隙間からの室外空気の流入及び光の侵入は生じにくくなっている。
【００１７】
図５は、実施の形態１に係る換気扇の本体枠の上部での断面図である。図６は、実施の形態１に係る換気扇の本体枠の上下方向の中央部での断面図である。図７は、実施の形態１に係る換気扇の本体枠の下部での断面図である。本体枠１１は、開口１１１の上側の縁の端部から下方向に突出する上端部屈曲部１１ｃと、開口１１１の下側の縁の端部から上方向に突出する下端部屈曲部１１ｆと、開口１１１の左右の縁である側枠部１１ａの内側面１１ｇから開口１１１の中央側に突出した前面部１１ｂとを有する。シャッター板１６１は、開口１１１を塞ぐシャッター面１６１ａと、シャッター面１６１ａが開口１１１を塞いだ状態において、上端１６１ｂがシャッター面１６１ａよりも本体枠１１の他端側に位置するようにクランク状に屈曲した上端部１６ｂと、シャッター面１６１ａが開口を塞いだ状態において、下端１６１ｃが本体枠１１の他端側に位置するように本体枠１１の他端側に屈曲した下端部１６ｃとを有する。
【００１８】
図５に示すように、シャッター板１６１は、上端部１６ｂがクランク状に曲げられており、シャッター１６を閉じた時、シャッター板１６１の上端部１６ｂが本体枠１１の上端部屈曲部１１ｃよりも本体枠１１の他端側に入り込む。すなわち、シャッター板１６１が開口１１１を塞いだ状態において、上端部１６ｂは、上端部屈曲部１１ｃよりも本体枠１１の他端側に配置される。したがって、本体枠１１の上端部屈曲部１１ｃとシャッター板１６１との隙間からの室外側空気の流入及び光の侵入は生じにくくなっている。
【００１９】
また、図６に示すように、シャッター板の上端部１６ｂは、上方に位置する別のシャッター板１６１の下端部１６ｃよりも室内側に入り込む。すなわち、上下方向に配列された複数のシャッター板１６１は、開口１１１を塞いだ状態において、下側のシャッター板１６１の上端部１６ｂは、上側のシャッター板１６１の下端部１６ｃよりも本体枠１１の他端側に配置される。したがって、シャッター板１６１同士の隙間からの室外側空気の流入及び光の侵入は生じにくくなっている。
【００２０】
図７に示すように、本体枠１１は、下端部屈曲部１１ｆにリブ１１ｄが設けられている。シャッター板１６１の下端部１６ｃは、リブ状になっており、シャッター板１６１が閉じると、下端部１６ｃは、下端部屈曲部１１ｆが本体枠１１の他端側に隣接するように下端部屈曲部１１ｆと重なる。換言すると、シャッター板１６１の下端部１６ｃは、シャッター面１６１ａが開口１１１を塞いだ状態において、下端１６１ｃが本体枠１１の他端側に位置するように、本体枠１１の他端側に屈曲し、シャッター面１６１ａとの間で鈍角をなす傾斜面１６２を備えている。また、下端部屈曲部１１ｆは、本体枠１１の他端側と逆側に突出するリブ１１ｄを備えている。したがって、本体枠１１の下端部屈曲部１１ｆとシャッター板１６１との隙間からの室外側空気の流入及び光の侵入は生じにくくなっている。シャッター板１６１の下端部１６ｃは、シャッター板１６１に対して鈍角の角度αを有する傾斜面１６２を備えた形状となっているため、滞留が生じにくく風路の圧力損失となりにくい。
【００２１】
図８は、実施の形態１に係る換気扇の本体枠の一端側を示す斜視図である。図４及び図８に示すように、換気扇１の本体枠１１は、本体枠１１の側部枠１１ａの内側面１１ｇから前面部１１ｂが突出し、側部枠１１ａの端面と前面部１１ｂとの間に段差が生じていることにより、シャッター板１６１が下向きの閉じ位置にあるときに、シャッター板１６１が本体枠１１から横にはみ出さないようになっている。これにより、シャッター板１６１が本体枠１１から横にはみ出し、シャッター板１６１と取り付け時の壁穴３１の内側面との干渉により、シャッター１６が開かない又はシャッター１６が閉じないといった動作不良が発生することを防止できる。なお、前面部１１ｂと端面１１ｅとの段差を、シャッター板１６１の板厚よりも大きくすることで、シャッター１６を下にして換気扇１を置いた際に、シャッター板１６１に荷重がかかって回動軸２１が破損することを防止できる。
【００２２】
図９は、実施の形態１に係る換気扇のシャッター板の斜視図である。図９に示すように、シャッター板１６１の裏面両側端部には、リブ１６ｄが設けられている。換言すると、シャッター面には、シャッター板１６１が開口を塞いだ状態において、本体枠１１の開口の左右の縁である側枠部１１ａに沿うリブ１６ｄを設けられている。したがって、シャッター板１６１は換気流を受けやすい構造になっており、シャッター１６は、換気流の風圧によって容易に開く。
【００２３】
実施の形態１に係る換気扇１では、本体枠１１は、開口１１１の上側の縁の端部から下方向に突出する上端部屈曲部１１ｃと、開口１１１の下側の縁の端部から上方向に突出する下端部屈曲部１１ｆと、開口１１１の左右の縁のである側枠部１１ａの内側面１１ｇから開口１１１の中央側に突出する前面部１１ｂとを有する。また、シャッター板１６１は、開口１１１を塞ぐシャッター面１６１ａと、シャッター面１６１ａが開口１１１を塞いだ状態において、上端１６１ｂが本体枠１１の他端側に位置するようにクランク状に屈曲した上端部１６ｂとを有し、本体枠１１の左右の縁である側枠部１１ａ同士の間隔よりも小さく、前面部１１ｂ同士の間隔よりも大きい幅を持っている。シャッター板１６１が開口１１１を塞いだ状態において、上端部１６ｂは、上端部屈曲部１１ｃよりも本体枠１１の他端側に配置され、シャッター板１６１の下端部１６ｃは、下端部屈曲部１１ｆが本体枠１１の他端側に隣接するように下端部屈曲部１１ｆと重なる。したがって、シャッター板１６１と本体枠１１との隙間からの室外側空気の流入及び非開の侵入を低減することができる。
【００２４】
上記の実施の形態では、ファン１５による換気流の風圧の有無によりシャッター板１６１を開閉する換気扇１について説明したが、連結棒により手動の開閉装置に接続され、該開閉装置によりシャッター１６が開閉されることを特徴とする換気扇であってもよい。また、連結棒により電動の開閉装置に接続され、該開閉装置によりシャッター１６が開閉される換気扇であってもよい。さらに、シャッター１６が１枚のシャッター板で構成される換気扇にも同様に応用できる。
【００２５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２６】
１  換気扇、１１  本体枠、１１ａ  側部枠、１１ｂ  前面部、１１ｃ  上端部屈曲部、１１ｄ  リブ、１１ｅ  端面、１１ｆ  下端部屈曲部、１１ｇ  内側面、１２  オリフィス、１３  油受け、１４  電動機、１５  ファン、１６  シャッター、１６ａ  側端部、１６ｂ  上端部、１６ｃ  下端部、１１１  開口、１６１  シャッター板、１６１ａ  シャッター面、１６１ｂ  上端、１６１ｃ  下端、１６２  傾斜面。
【図１】
2017022087.tif 000003
【図２】
2017022087.tif 000004
【図３】
2017022087.tif 000005
【図４】
2017022087.tif 000006
【図５】
2017022087.tif 000007
【図６】
2017022087.tif 000008
【図７】
2017022087.tif 000009
【図８】
2017022087.tif 000010
【図９】
2017022087.tif 000011
【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
角筒状の本体枠と、前記本体枠の一端側の開口を回動自在に支持したシャッター板で開閉するシャッターとを有する換気扇であって、
前記本体枠は、前記一端側の開口の左右の縁の内側面から前記一端側の開口の中央側に突出する前面部を有し、
前記シャッター板は、前記開口を塞ぐシャッター面を有し、前記本体枠の左右の縁同士の間隔よりも小さく、前記前面部同士の間隔よりも大きい幅を持っていることを特徴とする換気扇。
【請求項２】
前記本体枠は、前記一端側の開口の下側の縁の端部から上方向に突出する下端部屈曲部を有し、
前記シャッター板が前記開口を塞いだ状態において、前記シャッター板の下端部は、前記下端部屈曲部が前記本体枠の他端側に隣接するように前記下端部屈曲部と重なることを特徴とする請求項１に記載の換気扇。
【請求項３】
前記下端部は、前記シャッター面が前記開口を塞いだ状態において、下端が前記本体枠の他端側に屈曲し、前記シャッター面との間で鈍角をなす傾斜面を備え、
前記下端部屈曲部は、前記本体枠の他端側と逆側に突出するリブを備えることを特徴とする請求項２に記載の換気扇。
【請求項４】
前記本体枠は、前記一端側の開口の上側の縁の端部から下方向に突出する上端部屈曲部を有し、
前記シャッター板は、前記シャッター面が前記開口を塞いだ状態において、上端が前記シャッター面よりも前記本体枠の他端側に位置するようにクランク状に屈曲した上端部を有し、
前記上端部は、前記上端部屈曲部よりも前記本体枠の他端側に配置されることを特徴とする請求項１から３のいずれか１項に記載の換気扇。
【請求項５】
前記シャッター面に、前記シャッター板が前記開口を塞いだ状態において、前記本体枠の開口の左右の縁の内側面に沿うリブを設けたことを特徴とする請求項１から４のいずれか１項に記載の換気扇。
【請求項６】
前記シャッターは、上下方向に配列された複数のシャッター板を有し、
前記シャッター板が前記開口を塞いだ状態において、下側のシャッター板の上端部は、上側のシャッター板の下端部よりも前記本体枠の他端側に配置されることを特徴とする請求項１から５のいずれか１項に記載の換気扇。
【国際調査報告】
2017022087.tif 000012
2017022087.tif 000013
2017022087.tif 000014
2017022087.tif 000015